(57)【特許請求の範囲】
【請求項１】
糊又は接着剤である液状物を貯留するボトルと、このボトルの先端側に取り付けられ前記液状物を塗布し得るノズルとを有する塗布用容器であって、
前記ノズルが、前記液状物を通過させるための開口と、この開口からさらに先端側へ突出して前記液状物を全体から吐出し得る形状が保持された先端部とを有するものであり、
この先端部が、平面視周囲よりも突出した少なくとも一の角部を有しており、
前記先端部が、前記開口よりも先端側に突出した位置で前記液状物を通過させ得る通過シートと、この通過シートの裏面側から当接する形状が保持された裏当板とを有しており、
前記裏当板が弾性片を有しており、前記弾性片の先端に前記開口よりも平面視迫り出して突出端が位置付けられた迫り出し縁が形成され、
前記迫り出し縁により前記角部を構成させていることを特徴とする塗布用容器。
【請求項２】
前記角部が、側面視周囲よりも突出した形状をなす請求項１記載の塗布用容器。
【請求項３】
前記先端部が、側面視周囲よりも突出した稜線を有している請求項２記載の塗布用容器。
【請求項４】
前記先端部の外法寸法を前記開口の内法寸法よりも大きく設定することにより前記先端部の少なくとも一部が前記開口から平面視迫り出している請求項１、２又は３記載の塗布用容器。
【請求項５】
前記先端部が、平面視多角形状をなすものである請求項１、２、３又は４記載の塗布用容器。
【請求項６】
前記裏当板が、縁部を切り欠いて設けたスリットと、このスリットの近傍に設けられ弾性変形可能に形成された前記弾性片とを有している請求項１、２、３、４又は５記載の塗布用容器。
【請求項７】
前記スリットが、前記弾性片を挟むように設けられ、前記液状物を通過させ得る形状をなす請求項６記載の塗布用容器。
【発明の詳細な説明】
【技術分野】
【０００１】
本発明は、液状物を塗布するための容器に関するものである。
【背景技術】
【０００２】
従来、粘性を有した液状又はゲル状をなす糊や接着剤といった液状物を塗布するための塗布用容器が提案されている。これらの塗布用容器の中で、糊や接着剤を塗布する作業を容易なものとするため、糊や接着剤を収容しているボトルの先端から糊や接着剤が徐々に吐出されるよう、ボトルの先端に繊維状のシートを配し、このシートから糊や接着剤が徐々に漏れ出すようにすることで、糊や接着剤が不要に吐出されずに所要量だけ吐出されるようにしたものが提案されている(例えば、特許文献１参照)。
【０００３】
ところで、事務用途や家庭での糊や接着剤の使用において、糊付け又は接着する位置や範囲を精密に設定することで、当該位置をより正確なものとしたり、使用後の使用箇所の見栄えを良くしたりしたいという要望が挙がっている現状がある。
【０００４】
しかしながら上述したような液状の糊や接着剤に対しては、ボトルの先端におけるシートが所定形状をなす開口内に平面状に露出しているので、糊付けする対象面には一度に露出したシートの全面を密着させなければならない。またシートが開口から先端側へ緩やかに膨出しているものもあるが、糊や接着剤を対象面に確実に塗布するためにはシートを対象面に押圧しなければならず、結果としてシートの寸法よりも小さい領域を塗布することが困難である。
【０００５】
一方、対象面の所要の領域に精密に糊を塗布する事に着目すれば、固形状をなす糊の先端部分を利用して塗布することも考えられる。しかし固形状の糊の場合、塗布を継続すれば糊の形状自体がすり減ることにより変形してしまうため、持続的に精密な塗布を継続することは容易ではない。
【先行技術文献】
【特許文献】
【０００６】
【特許文献１】特開平１１−２２７８１８号公報
【発明の概要】
【発明が解決しようとする課題】
【０００７】
本発明は、このような点に着目したものであり、所要の領域に継続して正確に糊又は接着剤の塗布を行い得る塗布用容器を提供することを目的としている。
【課題を解決するための手段】
【０００８】
すなわち本発明に係る塗布用容器は、糊又は接着剤である液状物を貯留するボトルと、このボトルの先端側に取り付けられ前記液状物を塗布し得るノズルとを有する塗布用容器であって、前記ノズルが、前記液状物を通過させるための開口と、この開口からさらに先端側へ突出して前記液状物を全体から吐出し得る形状が保持された先端部とを有するものであり、この先端部が、平面視周囲よりも突出した少なくとも一の角部を有しており、前記先端部が、前記開口よりも先端側に突出した位置で前記液状物を通過させ得る通過シートと、この通過シートの裏面側から当接する形状が保持された裏当板とを有しており、前記裏当板が弾性片を有しており、前記弾性片の先端に前記開口よりも平面視迫り出して突出端が位置付けられた迫り出し縁が形成され、前記迫り出し縁により前記角部を構成させていることを特徴とする。
【０００９】
ここで当該「角部」とは、必ずしも鋭利な形状を有するものにかぎられずにアールが形成されたものであってもよく、液状物を平面によって塗布する場合に比べて、突出することで小さい範囲への塗布が行い得る程度に周囲よりも突出した形状を有するものであればよい。また「形状が保持された」とは、必ずしも形状が全く異ならない態様に限られる事はなく、例えば表面が塗布時の押圧やそれに伴う液状物の吐出によって若干の弾性変形を伴うようなものであっても良い。
【００１０】
このようなものであれば、先端部に設けられた角部を利用することで、液状物を塗布する面積を使用者の意図により小さくすることで、液状物を塗布する領域を使用者の意図に応じて精密に設定が可能となる。特に本発明によれば角部を積極的に利用することで、液状物を塗布したい対象物の形状に角が存在していても当該角の形状に沿って糊又は接着剤である液状物を、塗布を行う対象面へ精密且つ正確な塗布を行うことが可能となる。これにより、対象物の形状に拘わらず、縁部まで塗り残しなく塗布をすることができ、塗布後に対象物が剥がれ難いように正確な塗布が実現される。また先端部の形状が保持されたことにより、継続した使用によっても形状が保たれるため、使用者は塗布する領域を継続して精密に設定することができる。すなわち本発明によれば、所要の領域に継続して正確に糊又は接着剤の塗布を行い得る塗布用容器を提供することが可能となる。
また、先端部が、開口よりも先端側に突出した位置で液状物を通過させ得る通過シートと、この通過シートの裏面側から当接する形状が保持された裏当板とを有しているので、液状物の安定した吐出と先端部の形状の安定した維持とを両立させ得る。「形状が保持された」とは、必ずしも形状が全く異ならない態様に限られる事はなく、例えば表面が塗布時の押圧やそれに伴う液状物の吐出によって若干の弾性変形を伴うようなものであっても良い。
【００１１】
そして精密な塗布を容易に行い得る角部の具体的な構成として、当該角部が、側面視周囲よりも突出した形状をなす構成を挙げることができる。
【００１２】
そして、先端部側面視周囲よりも突出した稜線を有しているものであれば、掛かる稜線を利用して塗布する液状物の太さ、換言すれば巾寸法を使用者の意図により設定し易いものとなる。
【００１３】
また、使用者が精密な塗布を行い易くするための構成として、先端部の外法寸法を開口の内法寸法よりも大きく設定することにより先端部の少なくとも一部が開口から平面視迫り出している構成を挙げることができる。
【００１４】
使用者にとって違和感無く使用し得る先端部の形状の一例として、先端部が、平面視多角形状をなすものを挙げることができる。
【００１６】
使用者にとって使い易いように先端部を形成することと、製造時の先端部の組み付けをより行い易いようにすることを両立させるために構成として、前記裏当板が縁部を切り欠いて設けたスリットと、このスリットの近傍に設けられ弾性変形可能に形成された弾性片とを有している構成を挙げることができる。斯かる構成により、組み付け時には弾性片が弾性変形を伴って開口を容易に通過できる。
【００１７】
また、裏当板の組み付けをより簡便なものとしつつ視認性に優れ且つ塗布面積を大きくした平面視大きな先端部が形成でき、且つ開口から液状物をくま無く吐出させ得る構成として、スリットが、弾性片を挟むように設けられ当該弾性片の先端に開口よりも平面視迫り出して突出端が位置付けられた迫り出し縁が形成されるとともに、液状物を通過させ得る形状をなす構成を挙げることができる。特にこの弾性片及び迫り出し縁を利用して上記角部を構成すれば、当該角部を平面視鋭角に形成することができ、その結果、塗布対象面に角が有る場合であってもくま無く正確な塗布が実現し得る。
【発明の効果】
【００１８】
本発明によれば、糊又は接着剤の塗布を所要の領域に継続して正確に行い得る塗布用容器を提供することができる。
【図面の簡単な説明】
【００１９】
【図１】本発明の一実施形態に係る外観図。
【図２】同正面図。
【図３】同他の外観図。
【図４】同実施形態に係るキャップの平面図。
【図５】同キャップの中央側断面図。
【図６】同実施形態に係るノズルの正面から見た外観図。
【図７】同ノズルの側面から見た外観図。
【図８】同ノズルの底面図。
【図９】同ノズルを分解して示す構成説明図。
【図１０】同ノズルを構成する裏当体を示す構成説明図。
【図１１】同実施形態の要部を示す中央側断面図。
【図１２】図１１に係る動作説明図。
【図１３】同上。
【図１４】図８のＡ−Ａ線断面に係る動作説明図。
【図１５】同上。
【図１６】図８のＢ−Ｂ線断面に係る作用説明図。
【発明を実施するための形態】
【００２０】
以下、本発明の一実施の形態について図面を参照して説明する。
【００２１】
本実施形態に係る塗布用容器は、液状物である糊ｇを貯留するボトル１０と、このボトル１０のうち外方に露出した少なくとも一部を押圧し変形させることにより内包した糊ｇを塗布するためにこのボトル１０の先端側に取り付けられ糊ｇを塗布し得る先端部Ｘを有するノズル２とを有する容器本体１と、この容器本体１が先端部Ｘを外方に露出させた使用状態（Ｑ）及び先端部Ｘを密閉する密閉状態（Ｐ）を取り得るように容器本体１に対し着脱可能に設けられるものであり密閉状態（Ｐ）で底面を接地させることにより容器本体１を先端部Ｘを下方に位置付けた倒立姿勢とし得るキャップ３とを具備してなるものである。
【００２２】
本実施形態では、塗布用容器の内容物である液状物として、主に紙類同士を止着することにより封筒の封緘や紙類を用いた工作を好適に行い得る、いわゆる「水糊」と呼ばれる糊ｇを使用している。この糊ｇは、粘度が５００ｃｐｓ〜３００００ｃｐｓであるか、より具体的には１０００ｃｐｓ〜１００００ｃｐｓに設定されることにより、塗布後の液だれが有効に抑えられるという特性と、ボトル１０内での移動に際し、粘度に起因して若干の時間を要してしまうという特性とを併せ持つ。
【００２３】
ここで、本実施形態に係る塗布用容器は、ノズル２が、液状物たる糊ｇを通過させるための開口２１ａと、この開口２１ａからさらに先端側へ突出して糊ｇを全体から吐出し得る形状が保持された先端部Ｘとを有するものであり、この先端部Ｘが、周囲よりも点状又は線状に突出した後述する角部を有していることを特徴とする。
【００２４】
以下、本実施形態に係る塗布用容器の具体的な構成について詳述する。
【００２５】
塗布用容器は、上述した通り、糊ｇを貯留した容器本体１と、容器本体１の先端部Ｘを密閉するためキャップ３とを有している。
【００２６】
容器本体１は、ボトル１０と、ノズル２とを有している。ボトル１０は、例えば弾性変形可能であり、且つ内部の糊ｇの残量が外方から視認し得るよう透明又は半透明の樹脂素材により一体成形されている。このボトル１０は、下端をノズル２にねじ込むための雄ねじ面１０ａと、横方向から使用者が掴みやすいように設けられた凹み１０ｂと、上端を部分球状に膨出させた頂面１０ｃとを有している。この頂面１０ｃの形状により、容器本体１はノズル２を上側にして自立することが出来ない構成となっている。また勿論、ボトル１０の外側には別途糊ｇの残量を視認し易くするための目盛りや、他の必要事項等が印刷されたフィルムを被覆しても良く、またボトル１０において例えば雄ねじ面１０ａの部位の樹脂素材の厚みを大きくすることにより他の部位よりも変形し難く構成する等、詳細な仕様は既存の種々のものと適用し得る。以下、キャップ３及びノズル本体２０の構成について説明していく。
【００２７】
キャップ３は、図３〜図５に示すように、樹脂の一体成形によって形成された外形が概略円筒形状をものであり、底面３９を接地させた状態で各構成要素が上方及び側方に露出する形状をなす。またキャップ３は、ノズル本体２０を平面方向で互いに１８０°異なる２つ向きの何れであってもノズル本体２０と係り合う密閉状態（Ｐ）を構成し得る。このキャップ３は、当該キャップ３の外形を形成するキャップ本体たる外筒３１と、外筒３１において対向する２箇所に形成された開口である係合窓３２と、この係合窓３２内に突出するように外筒３１に一体に弾性変形可能に形成された操作板３３と、ノズル２の先端部Ｘを密閉した状態で収容するための内筒３４と、キャップ３装着するときにノズル２を案内するための案内面たる案内スロープ３５と、係合窓３２と内筒３４との間に形成された爪収容穴３６とを有している。
【００２８】
キャップ本体たる外筒３１は、底面３９へ漸次径を広げながら接続することで載置時の安定性と持ち易さの向上を併せて実現したフランジ３１ａと、操作板３３及び係合窓３２を設けた位置から平面視９０°異ならせた位置を凹ませて設けた凹み面３１ｂと、脱着時にノズル本体２０に摺接する内壁面３１ｃとを有している。
【００２９】
係合窓３２は、外筒３１における両側２箇所を切り欠いて設けたものであり、ノズル本体２０側の係合爪２２に係り合うべく下向きに面した爪受け面３２ａを上端に有している。
【００３０】
操作板３３は、係合窓３２の内側を埋めるように板状に成形したものである。この操作板３３は、樹脂素材を薄く構成することにより弾性変形し得る弾性板３３ｃと、弾性板３３ｃの先端側において手指により外方から押圧し易いよう適宜凹ませた操作面３３ａと、操作面３３ａの裏面側でノズル本体２０を押圧するための押圧面３３ｂとを有している。
【００３１】
内筒３４は、外筒３１よりも内側において平面視の外形を円形状としつつ、底面側を先端部Ｘの形状に応じた四角形状としたものである。この内筒３４は、平面視外側へ向けて立設し内筒３４自体の強度を保つための補強リブ３４ａと、内筒３４の内側の上面においてノズル本体２０の回転を許容するとともにノズル本体２０に接して先端部Ｘを密閉する円周面３４ｂと、円周面３４ｂの下方において先端部Ｘの形状に応じるように形成された四角面３４ｃ及び四角底面３４ｅと、円周面３４ｂと四角面３４ｃとを滑らかに連続させるように形成した連続面３４ｄと、先端部Ｘの周囲を気密状態とすべく円周面３４ｂから内方にリング状に突出させて設けたリング状リブ３４ｆとを有している。また上記補強リブ３４ａは上記内筒３４自体の補強のみならず、外方から操作板３３を当接させることより当該操作板３３の動作終端を決めるためにも機能する。これにより操作板３３の特に弾性板３３ｃの過度の弾性変形及びその繰り返しによる樹脂素材の不要な疲労を回避することができる。
【００３２】
案内スロープ３５は、図４に示すように、ノズル本体２０を正確に密閉状態（Ｐ）とし得る位置に案内し、位置付けるために、同図の図示で上下対照形状に形成されたものである。この案内スロープ３５は、使用状態（Ｑ）にある容器本体１の係合部たる係合爪２２に当接したときに係合爪２２を爪受け面３２ａへ向けて案内すべくノズル本体２０側の平面方向の向きを案内するための案内面たる回転案内面３５ａとこれら回転案内面３５ａ間に介在し、ノズル本体２０を案内する方向を決定づけるための境界面３５ｂとを有している。回転案内面３５ａは外筒３１の凹み面３１ｂを設けた位置の内側にそれぞれ対をなして左右対称に設けたものである。この案内スロープ３５は、境界面３５ｂにおいてはなだらかに湾曲した形状をなして上方へ突出し、それぞれ爪受け面３２ａに近くなるにつれて漸次高さ寸法が低くなるように断面視山形に設定してある。これにより、ノズル本体２０の係合爪２２がそれぞれ案内スロープ３５に接したとき、ノズル本体２０はキャップ３に対して相対的に回転しながら密閉状態（Ｐ）まで案内される。
【００３３】
爪収容穴３６は、係合窓３２の内側に形成された係合爪２２を内筒３４の外側で収容するためのものである。この爪収容穴３６は、上述した案内スロープ３５に連続する爪収容面３６ａを対面するように形成している。そして密閉状態（Ｐ）では、この爪収容面３６ａに挟み込まれるように係合爪２２が収容される。
【００３４】
ノズル２は、図６〜図１６に示すように、ボトル１０の先端側にねじ止めされ、ボトル１０内の糊ｇを塗布するためのものである。このノズル２は、ボトル１０にねじ止めされるノズル本体２０と、ノズル本体２０の先端から露出するメッシュ５と、メッシュ５を裏側から押圧しメッシュ５が先端側に露出する形状を形作る裏当体４とを有している。
【００３５】
ノズル本体２０は、雌ねじ部２０ａでボトル１０に直接接続して取り付けられるとともに、平面視中央で先端側へ突出する角筒体２１と、角筒体２１の両側から対をなして突出する係合部たる係合爪２２と、係合爪２２が退避した箇所に立設されキャップ３側に接し得る離間案内リブ２３と、キャップ３の内筒３４に嵌り込むことで密閉状態（Ｐ）としたとき先端部Ｘを気密に保つための気密部２４とを有している。
【００３６】
角筒体２１は、先端へ向けて概略直方体状に突出するように形成されたものであり、先端縁にてメッシュ５を露出させて糊ｇを吐出するために設けた開口２１ａと、内部に裏当体４に密着させるための内面２１ｂと、開口２１ａ近傍における４箇所で内法寸法を小さく設定すべく内方へ突出させることで、、メッシュ５及び裏当体４を強く係り合わせるための挟持リブ２１ｃとを有している。
【００３７】
係合爪２２は、容器本体１が操作部たる操作板３３の動作によりキャップ３との係り合いを解除し得る係合部に相当するものである。この係合爪２２は、キャップ３の爪受け面３２ａに当接して密閉状態（Ｐ）を構成し得る引掛面２２ａと、操作板３３の押圧面３３ｂに押圧され先端へ向かってキャップ３から遠ざかるよう傾斜した向きに面するテーパ面２２ｂと、引っ掛け面の基端側を退避させ離間案内リブ２３を位置付けた退避縁２２ｃとを有している。そして上記テーパ面２２ｂは、操作板３３に加わる操作力をキャップ３と容器本体１との離間方向への押圧力に変換する動作変換面として機能する。
【００３８】
離間案内リブ２３は、密閉状態（Ｐ）で常に外筒３１の内壁面３１ｃに当接する離間案内面２３ａを有することで、キャップ３の装着時のノズル２自体のがたつきを防止するとともに、キャップ３を取り外す際の容器本体１の動作方向を上下方向に案内するためのものである。すなわち離間案内リブ２３が、容器本体１がキャップ３からの離間方向への動作を案内すべくキャップ３に摺動する案内部に相当する。
【００３９】
気密部２４は、角筒体２１の基端から円柱状に突出することで、密閉状態（Ｐ）で内筒３４の円周面３４ｂの、特に当該円周面３４ｂに設けたリング状リブ３４ｆに内側から嵌りつつ押圧することにより、当該気密部２４よりも先端側を気密状態に保つためのものである。
【００４０】
裏当体４は、ノズル本体２０の内面２１ｂ側から嵌め込む事によってメッシュ５を挟み込み、固定するためのものである。この裏当体４は、基端側において円盤状をなし、ねじ止めされるボトル１０の先端縁に押圧されてなる基端面板４１と、角筒体２１の内面２１ｂに摺接しながら取り付けられる摺接管４２と、角筒体２１の開口２１ａから更に先端側に突出する突出管４３と、この突出管４３から外方に拡開し、メッシュ５を裏面側から押圧して先端部Ｘを形成する裏当板６とを有している。
【００４１】
基端面板４１は、摺接管４２の基端縁から平面視円形状に形成されており、その縁部が、ボトル１０とノズル本体２０との間に挟み込まれることによって、ノズル本体２０に対し内面２１ｂ側から密着し得るものである。
【００４２】
摺接管４２は、角筒体２１の基端側におけるおよそ半分程度の領域で角筒体２１の内面２１ｂに密着する密着面４４と、この密着面４４から先端側における角筒体２１の先端よりの位置で密着面４４よりも若干寸法退避することによりメッシュ５の縁部を収容するための隙間を形成する布収容面４５と、角筒体２１のオーバーハング部から開口２１ａに亘る位置をメッシュ５を挟んだ状態で押圧すべく外方に突出させた第一止着リブ４６及び第二止着リブ４７とを有している。
【００４３】
突出管４３は、角筒体２１の挟持リブ２１ｃの内法寸法と略等しい径に設けられることにより、開口２１ａとの間でメッシュ５を挟み込みつつ開口２１ａよりも先端側へ突出する形状をなす。メッシュ５を組み付けた状態において、当該突出管４３の外側とメッシュ５との間の先端側では、僅かながらの空間が形成され、当該空間にも使用時には若干量の糊ｇが貯留されるようになっている。
【００４４】
裏当板６は、裏当体４の先端において平面視矩形すなわち四角形状、具体的には平面視正方形状に面する概略平面板状のものであり、開口２１ａ並びに突出管４３よりも平面視大きい寸法であり且つ一部が開口２１ａの内法寸法よりも大きな外法寸法を有するように設定してある。これにより、裏当板６が開口２１ａよりも平面視で突出する箇所が、使用者からの視認性も良く、且つ、精密な糊ｇの塗布を行い得る。この裏当板６は、摺接管４２から突出管４３を通過した糊ｇを外方へ吐出させるために設けた複数の孔である吐出口６１と、平面視四角形状の四隅を構成するそれぞれの隅部分を挟むように対をなして形成された合計８本のスリット６２と、このスリット６２近傍に弾性変形可能に設けられ突出端を開口２１ａよりも平面視迫り出して位置付けた迫り出し縁６５とした弾性片６３と、平面視の四辺においてメッシュ５を側面視屈曲させた状態で突出させることにより裏当てる稜線６４とを有している。また本実施形態ではスリット６２を、弾性片６３を挟むように当該弾性片６３毎に対をなして設けて当該弾性片６３の弾性変形が起こり易くするとともに、このスリット６２の一部から液状物たる糊ｇを通過させ得る形状をなす。具体的に説明すると本実施形態ではスリット６２の一部が裏当体４の内面４ａに連通することによって、突出管４３を通った糊ｇは吐出口６１のみならず、スリット６２を介しても吐出されるようにしている。
【００４５】
しかして本実施形態では、容器本体１のノズル本体２０が液状物を吐出するための開口２１ａを有し、この開口２１ａに設けられた液状物たる糊ｇを通過させ得る通過シートたるメッシュ５を介して吐出されるように構成している。そして、ノズル本体２０、メッシュ５及び裏当体４が協働することにより、開口２１ａからさらに先端側へ突出して液状物たる糊ｇを全体から吐出し得る形状が保持された先端部Ｘを構成している。すなわち、裏当板６が開口２１ａの内法寸法よりも大きく設定されていることにより、ノズル本体２０、メッシュ５及び裏当体４が協働することにより少なくとも一部が開口２１ａから平面視迫り出している先端部Ｘが形成されている。また先端部Ｘは、平面視多角形状をなす側面視平面状の裏当板６の形状に伴い、当該形状をなす塗布面５ａを形成している。そして本実施形態では、裏当板６の迫り出し縁６５が、メッシュ５とともに周囲よりも平面視点状又は線状に突出した、本発明に係る角部を構成している。
【００４６】
ここで、本実施形態に係る塗布用容器は図１１〜図１３に示すように、例えば机上面に底面３９を載置した密閉状態（Ｐ）から、容器本体１にほとんど触れることなくキャップ３側を操作するのみで使用状態（Ｑ）とすることができる。これにより、斯かる操作の際に容器本体１を不要に押圧して糊ｇを不要に吐出させてしまうことがない。
【００４７】
まず、机上面に載置した状態にある図１１の状態から図１２に示すように操作板３３の操作面３３ａを外方から、例えば手指により押圧すると、操作板３３の押圧面３３ｂが係合爪２２の動作変換面たるテーパ面２２ｂを押圧する。このとき、係合爪２２は弾性変形によって引掛面２２ａと爪受けとの係り合いを解除しつつ、テーパ面２２ｂが傾斜していることから容器本体１は操作面３３ａの押圧により上方へ付勢される。ここで、離間案内リブ２３がキャップ３本体たる外筒３１の内壁面３１ｃにつねに摺接することにより、容器本体１は操作板３３に押圧されることで上方へ案内され、なんら触れられることなく使用状態（Ｑ）となる。
【００４８】
そして使用状態（Ｑ）にある容器本体１を例えば机上面等の平面上に載置されたキャップ３により先端部Ｘを封止すべく密閉状態（Ｐ）とするときは、先端部Ｘをキャップ３の内筒３４に差し込むようにすれば良い。そうすれば対をなす係合爪２２はそのまま爪収容穴３６へ収容されれば自ずと係合爪２２及び係合窓３２間の係り合いが実現される。また係合爪２２が爪収容穴３６に収容され得ない向きで容器本体１を差し入れた場合であっても係合爪２２は案内スロープ３５によりスムーズに爪収容穴３６へ案内される。
【００４９】
また、使用状態（Ｑ）とした容器本体１は上述の通り、開口２１ａからさらに先端側へ突出して液状物たる糊ｇを全体から吐出し得る形状が保持された先端部Ｘを構成している。ここで、この先端部Ｘは、上述した裏当板６の構成から、開口２１ａ並びに突出管４３よりも平面視大きい寸法であり且つ一部が開口２１ａの内法寸法よりも大きな外法寸法を有するように設定してある。ここで図１４及び図１５に示すように、当該先端部Ｘを組み立てる際には裏当板６が角筒体２１を通過し得ない外形を有するところ、本実施形態では裏当板６にスリット６２を設けることで迫り出し縁６５を有する弾性片６３を、組み付け時に弾性変形させることにより、先端部Ｘの組付けを可能としている。
【００５０】
すなわち図１４に示すように、先端部Ｘを組み付ける際にはメッシュ５を挟んだ状態でノズル本体２０ｍにおける角筒体２１の内面２１ｂを通過させることとなる。そして図１５に示すように、ノズル本体２０の挟持リブ２１ｃを裏当板６が通過する際には弾性片６３が開口部２１ａに当接し挟持リブ２１ｃの間の角部分を通過するときに弾性変形する事により迫り出し縁６５が一時的に退避する。これにより、裏当板６は挟持リブ２１ｃを容易に通過することができ、図３、図６〜図８、図１１〜図１３及び図１６に示すように、開口２１ａから平面視迫り出した形状をなす先端部Ｘが、ノズル本体２０、メッシュ５及び裏当体４が協働することにより形成される。
【００５１】
そして図１６に示すように、先端部Ｘに設けたスリット６２は裏当体４の内面４ａに連通している。これにより糊ｇは吐出口６１のみならずスリット６２を介しても吐出される。その結果、迫り出し縁６５、すなわち、平面視四角形状の頂点付近からも有効に糊ｇを塗布し得るようになっている。また同図に示すように、吐出口６１やスリット６２から吐出される糊ｇはメッシュ５を介してスリット６２内やメッシュ５及び突出管４３の間に一時的に貯留される。これにより、先端部Ｘの角部である迫り出し縁６５、稜線６４からは、これら貯留された糊ｇが優先的に塗布されるので、使用者は迫り出し縁６５、稜線６４を用いた精密な塗布を、吐出口６１から吐出される糊ｇによる塗布同様、快適に行い得る。
【００５２】
以上のように構成することにより、本実施形態に係る塗布用容器は、ノズル２の開口２１ａからさらに先端側へ突出して液状物を全体から吐出し得る形状が保持された先端部Ｘを有するものであり、この先端部Ｘが、周囲よりも平面視点状又は線状に突出した角部たる迫り出し縁６５を利用することで、糊ｇを塗布する面積を使用者の意図により小さくするも可能となる。これにより糊ｇを塗布する領域を使用者の意図に応じて精密に設定することが可能となる。また先端部Ｘが形状が変形不能に保持されたことにより、継続した使用によっても形状が保たれるため、使用者は塗布する領域を継続して精密に設定することができる。すなわち本発明によれば、所要の領域に継続して正確に糊ｇの塗布を行い得る塗布用容器を実現している。
【００５３】
また、使用者が精密な塗布を行い易くするための構成として、先端部Ｘの外法寸法を開口２１ａの内法寸法よりも大きく設定することにより先端部Ｘの少なくとも一部が開口２１ａから平面視迫り出している迫り出し縁６５を設けている。
【００５４】
そして、先端部Ｘが、稜線６４を構成しているので、斯かる稜線６４を利用して塗布する液状物の太さ、換言すれば巾寸法を使用者の意図により設定し易いものとなっている。
【００５５】
加えて使用者にとって違和感無く使用し得る先端部Ｘの形状の一例として本実施形態では、先端部Ｘの平面視形状が多角形状をなすようにしている。
【００５６】
糊ｇの安定した吐出と先端部Ｘの形状の安定した維持とを両立させ得る構成として本実施形態では、先端部Ｘが、開口２１ａよりも先端側に突出した位置で糊ｇを通過させ得る通過シートたるメッシュと、このメッシュの裏面側から当接する形状が変形不能に保持された裏当板６とを有している構成を適用している。
【００５７】
使用者にとって使いやすいように先端部Ｘを形成することと、製造時の先端部Ｘの組み付けをより行い易いようにすることとを両立させるために構成として本実施形態では、裏当板６が縁部を切り欠いて設けたスリット６２と、このスリット６２近傍に位置付けられ弾性変形可能に設けられた弾性片６３と、この弾性片６３の先端において開口２１ａよりも平面視迫り出して位置付けられた迫り出し縁６５とを有している構成を適用している。これにより、組み付け時には弾性片６３が弾性変形を伴って開口２１ａ、内面２１ｂ及び挟持リブ２１ｃ間を容易に通過でき、通過後は開口２１ａよりも平面視迫り出した迫り出し縁６５が形成され、当該迫り出し縁６５を利用した快適な糊ｇの塗布が実現される。
【００５８】
また、迫り出し縁６５があっても裏当板６の組み付けを簡便としつつ開口２１ａから迫り出した迫り出し縁６５まで液状物をくま無く吐出させ得る構成として、スリット６２が弾性片６３に対し、一つの弾性片６３を挟むように対をなして設けられ、且つスリット６２の一部から糊ｇを通過させ得る形状をなす構成を挙げることができる。具体的には、スリットの基端が裏当体４の内面４ａに連通するように形成されることで、スリットの先端まで糊ｇを行き渡らせることが可能となる。特に本実施形態では弾性片６３及び迫り出し縁６５を利用して上記迫り出し縁６５を角部とすることにより、塗布対象面に角が有る場合であってもくま無く正確な塗布が可能となっている。また上記迫り出し縁６５を形成することにより先端部Ｘを平面視大きく形成し当該先端部Ｘが視認性向上に優れたものとなっている。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、上記実施形態では先端部が平面視正方形をなす態様を開示したが、勿論、長方形、三角形や六角形といった他の多角形状をなす態様としたものであってもよい。また先端部の形状を角錐形状や稜線を先端に突出させた形状としたものであってもよい。また上記実施形態ではスリットが裏当体の内面と連通することでスリットからも糊が吐出し得る構成としたが、スリットから糊が吐出されない場合であっても通過シートたるメッシュを介して移動した糊が一時的にスリット内に蓄積されることで、スリットを設けた位置からも糊を安定して塗布し得る。また上記実施形態では平面視正方形状をなす先端部を形成したことに応じるように、ボトルの凹み（１０ｂ）をさらに大きくしてボトルの平面視形状をも四角形とし、先端部が平面視正方形状であることを使用者に想起させ易く構成しても良い。加えてボトルの頂面（１０ｃ）は上記実施形態では部分球状に膨出させた形状としたが勿論、平面状に形成しても良い。そして、ボトルやキャップの具体的な態様は上記実施形態のものに限定されることはなく、既存のものを含め、種々の態様のものを適用することができる。
【００６１】
その他、各部の具体的構成についても上記実施形態に限られるものではなく、本発明の趣旨を逸脱しない範囲で種々変形が可能である。
【産業上の利用可能性】
【００６２】
本発明は液状物を塗布するための塗布用容器として利用することができる。
【符号の説明】
【００６３】
２…ノズル
２１a…開口
５…透過シート（メッシュ）
６…裏当板
６１…吐出口
６２…スリット
６３…弾性片
６４…稜線
６５…角部（迫り出し縁）
ｇ…液状物（糊）
Ｘ…先端部
【図１】
0006540002.tif 000002
【図２】
0006540002.tif 000003
【図３】
0006540002.tif 000004
【図４】
0006540002.tif 000005
【図５】
0006540002.tif 000006
【図６】
0006540002.tif 000007
【図７】
0006540002.tif 000008
【図８】
0006540002.tif 000009
【図９】
0006540002.tif 000010
【図１０】
0006540002.tif 000011
【図１１】
0006540002.tif 000012
【図１２】
0006540002.tif 000013
【図１３】
0006540002.tif 000014
【図１４】
0006540002.tif 000015
【図１５】
0006540002.tif 000016
【図１６】
0006540002.tif 000017